(57)【特許請求の範囲】
【請求項１】
点火コイルの一次側コイルを流れる電流を制御するスイッチング素子を駆動する点火制御手段を備え、更に前記点火制御手段は、前記一次側コイルに流れる一次電流に対応した
検出電圧を生成する検出電圧生成部と、基準電流に対応した基準電圧を生成する基準電圧生成部と、前記検出電圧と前記基準電圧の大小関係を比較する比較部を有し、前記検出電圧が前記基準電圧を超えると前記スイッチング素子を制御して前記一次側コイルを流れる電流を制限する電流制限回路を備えた点火制御装置において、
前記検出電圧は、金属材料によって形成された「正」の温度依存特性を有する電流検出抵抗を流れる前記一次電流に基づいて前記検出電圧生成部で生成され、
前記基準電圧は、第１のバイポーラトランジスタ回路と、複数のバイポーラトランジスタを並列接続した多連型の第２のバイポーラトランジスタ回路のベース−エミッタ間の電位差(熱電圧ＶＴに比例)と、前記多連型の第２のバイポーラトランジスタ回路のエミッタ側に接続された第１の抵抗の抵抗値によって生成され、前記電流検出抵抗と同様の「正」の温度依存特性を有する電流に基づいて前記基準電圧生成部で生成されると共に、
前記基準電圧生成部は、
カレントミラー回路と、コレクタ側が電流源に接続された前記第１のバイポーラトランジスタ回路と、前記第１のバイポーラトランジスタ回路よりも前記バイポーラトランジスタの個体数が多い前記多連型の第２のバイポーラトランジスタ回路のコレクタ側が前記カレントミラー回路の一方側に接続され、ベース側が前記第１のバイポーラトランジスタ回路のベース側に接続された前記多連型の第２のバイポーラトランジスタ回路と、前記多連型の第２のバイポーラトランジスタ回路の前記エミッタ側に接続された前記第１の抵抗と、前記カレントミラー回路の他方側に接続された第２の抵抗とを有し、
前記電流検出抵抗の温度依存特性に対して、所定の誤差範囲に収まる温度依存特性を備える前記基準電圧を出力するように、前記第１のバイポーラトランジスタ回路及び前記多連型の第２のバイポーラトランジスタ回路を構成する前記バイポーラトランジスタの数、前記カレントミラー回路のミラー比、前記第１の抵抗と前記第２の抵抗の抵抗比が設定されていることを特徴とする点火制御装置。
【請求項２】
請求項１に記載の点火制御装置において、
前記前記第１のバイポーラトランジスタ回路及び前記多連型の第２のバイポーラトランジスタ回路は、同一形状の前記バイポーラトランジスタから構成されている
ことを特徴とする点火制御装置。
【請求項３】
請求項１に記載の点火制御装置において、
前記基準電圧生成部からの前記基準電圧のレベルを調整するレベルシフト部が、前記基準電圧生成部と前記比較部の間に設けられていることを特徴とする点火制御装置。
【請求項４】
点火コイルの一次側コイルを流れる電流を制御するスイッチング素子を駆動する点火制御手段を備え、更に前記点火制御手段は、金属製の電流検出抵抗によって検出される前記一次側コイルに流れる一次電流に対応した検出電圧を生成する検出電圧生成部と、基準電流に対応した基準電圧を生成する基準電圧生成部と、前記検出電圧と前記基準電圧の大小関係を比較する比較部を有し、前記検出電圧が前記基準電圧を超えると前記スイッチング素子を制御して前記一次側コイルを流れる電流を制限する電流制限回路を備えた点火制御装置の基準電圧調整方法において、
前記基準電圧生成部は、
カレントミラー回路と、コレクタ側が電流源に接続された第１のバイポーラトランジスタ回路と、前記第１のバイポーラトランジスタ回路よりもバイポーラトランジスタの個体数が多い多連型の第２のバイポーラトランジスタ回路のコレクタ側が前記カレントミラー回路の一方側に接続され、ベース側が前記第１のバイポーラトランジスタ回路のベース側に接続された前記多連型の第２のバイポーラトランジスタ回路と、前記多連型の第２のバイポーラトランジスタ回路のエミッタ側に接続された第１の抵抗と、前記カレントミラー回路の他方側に接続された第２の抵抗とを有し、
前記第１のバイポーラトランジスタ回路及び前記多連型の第２のバイポーラトランジスタ回路を構成する前記バイポーラトランジスタの数、前記カレントミラー回路のミラー比、前記第１の抵抗と前記第２の抵抗の抵抗比の少なくとも１つを調整して、金属製の前記電流検出抵抗の「正」の温度依存特性に対して、所定の誤差範囲に収まる温度依存特性を備える前記基準電圧を出力させる
ことを特徴とする点火制御装置の基準電圧調整方法。
【発明の詳細な説明】
【技術分野】
【０００１】
本発明は内燃機関に設けられた点火プラグに高電圧を印加する内燃機関の点火制御装置に係り、特に、点火コイルの一次側に流れる電流を制限する電流制限回路を備えた点火制御装置及び点火制御装置の基準電圧調整方法に関するものである。
【背景技術】
【０００２】
内燃機関に設けられた点火プラグに高電圧を印加する点火制御装置においては、点火コイルの一次側の電流を所定値に制限し、過大な異常電流が流れないように抑制する電流制限回路が備えられている。このような電流制限回路は、例えば、特開２０１３−２４２２４５号公報（特許文献１）にあるように良く知られているものである。特許文献１においては、点火コイルの一次電流を制御するトランジスタと検出抵抗との間に流れる一次電流の電流値が所定値を超えると、ドライブ回路によってトランジスタの駆動を制御して、点火コイルの一次側に過剰な一次電流が流れるのを抑制するものである。【０００３】
そして、電流制限回路を構成する電流検出回路は、検出抵抗に一次電流が流れることにより生じる電圧の電圧値を基準電圧値と比較することにより、一次電流の電流値と電流制限回路の閾値電流（基準電流値）との大小関係を検出するように構成されている。尚、基準電圧値は一次電流の電流値と基準電流値との比較が行われるように、基準電流値に対応して生成されるものである。
【先行技術文献】
【特許文献】
【０００４】
【特許文献１】特開２０１３−２４２２４５号公報
【発明の概要】
【発明が解決しようとする課題】
【０００５】
ところで、一次電流を検出する検出抵抗は金属材料からなる検出抵抗（一般的にはアルミニウムで作られている）で構成されているが、この金属製の検出抵抗の抵抗値は、ミリオーム単位で表される小さなものである。そして、この金属製の検出抵抗は一般的に「正」の温度依存特性を有しており、温度変化によって抵抗値が変動するものである。そして、検出抵抗に一次電流を流すことにより生じる電圧の大きさは、この「正」の温度依存特性によって一次電流の大きさが同じであったとしても、温度の変化によって変動することになる。このように、検出抵抗が「正」の温度依存特性を有しているので、検出される電圧も「正」の温度依存特性を持ってしまうことになる。【０００６】
この温度依存特性に対処するためには、比較する基準電圧にも温度依存特性を持たせることで、一次電流の検出誤差を抑制することができる。そして、特許文献１では、基準電圧に温度依存特性を持たせるために、ＭＯＳトランジスタのオン抵抗の温度依存特性を利用している。【０００７】
しかしながら、ＭＯＳトランジスタのオン抵抗は、ＭＯＳトランジスタの「素子ばらつき」の影響を直接的に受けるため、ＭＯＳトランジスタのゲート電圧の調整（抵抗トリミング）等による合わせ込みが必要となり、余分な調整工数の追加による製品単価の増大といった課題が新たに発生する。【０００８】
本発明の目的は、「素子ばらつき」に影響されず、ＭＯＳゲート電圧の合せ込み等の調整に要する調整工数を低減する新規な点火制御装置及び点火制御装置の基準電圧調整方法を提供することにある。
【課題を解決するための手段】
【０００９】
本発明の特徴は、点火コイルの一次側コイルを流れる電流を制御するスイッチング素子を駆動する点火制御手段を備え、点火制御手段は、一次側コイルに流れる一次電流に対応した検出電圧を生成する検出電圧生成部と、基準電流に対応した基準電圧を生成する基準電圧生成部と、検出電圧と基準電圧の大小関係を比較する比較部を有し、検出電圧が基準電圧を超えるとスイッチング素子を制御して一次側コイルを流れる電流を制限する電流制限回路を備えており、更に検出電圧は、金属材料によって形成された「正」の温度依存特性を有する電流検出抵抗を流れる一次電流に基づいて検出電圧生成部で生成され、基準電圧は、第１のバイポーラトランジスタ回路と、複数のバイポーラトランジスタを並列接続した多連型の第２のバイポーラトランジスタ回路のベース−エミッタ間の電位差(熱電圧ＶＴに比例)と、第２のバイポーラトランジスタ回路のエミッタ側に接続された第１の抵抗の抵抗値によって生成され、電流検出抵抗と同様の「正」の温度依存特性を有する電流に基づいて基準電圧生成部で生成される、ところにある。
【発明の効果】
【００１０】
本発明によれば、基準電圧がバイポーラトランジスタの比精度で決まるため、「素子ばらつき」に影響されず、ＭＯＳゲート電圧の合せ込み等の調整工数が省略でき、製品単価の増大を抑制することができるようになる。
【図面の簡単な説明】
【００１１】
【図１】本発明の第１の実施形態になる内燃機関の点火制御装置の構成を示す回路図である。
【図２】図１に示す点火制御装置の検出電圧と基準電圧の温度依存特性を示す特性図である。
【図３】本発明の第２の実施形態になる内燃機関の点火制御装置の構成を示す回路図である。
【図４】図３に示す点火制御装置の検出電圧と基準電圧の温度依存特性を示す特性図である。
【発明を実施するための形態】
【００１２】
以下、本発明の実施形態について図面を用いて詳細に説明するが、本発明は以下の実施形態に限定されることなく、本発明の技術的な概念の中で種々の変形例や応用例をもその範囲に含むものである。
【実施例１】
【００１３】
図１は本発明の第１の実施形態になる内燃機関の点火制御装置の回路構成を示したものである。【００１４】
点火コイル２０の一次側コイル２１を流れる電流を制御するスイッチング素子２２を駆動する点火制御手段として機能する制御装置１０には、主制御手段(以下、ＥＣＵ：Electronic Control Unitと表記する)４０からの点火制御信号が入力されており、この点火制御信号によって点火コイル２０の一次電流が制御されるものである。【００１５】
制御装置１０は、基本的には入力バッファ回路１１、レベル減算回路１２、出力バッファ回路１３、基準電圧生成回路１４、比較回路１５等から構成されている。そして、ＥＣＵ４０と入力バッファ回路１１は信号線１６で接続され、入力バッファ回路１１とレベル減算回路１２は信号線１７で接続され、レベル減算回路１２と出力バッファ回路１３は信号線１８で接続されている。【００１６】
出力バッファ回路１３は、信号線１９によって点火コイル２０の一次側コイル２１に流れる一次電流を制御するトランジスタ２２のゲートＧに点火制御信号を出力している。点火コイル２０は一次側コイル２１と二次側コイル２３から構成されており、バッテリ２４から電力を供給されている。点火コイル２０の二次側コイル２３は点火プラグ２５に接続されており、二次側コイル２３に生じた高電圧を点火プラグ２５に印加してシリンダ内の混合気に着火するものである。【００１７】
トランジスタ２２のコレクタＣは一次側コイル２１に接続され、エミッタＥは電流検出抵抗２６を介して接地されている。電流検出抵抗２６の一端２６Ａは信号線２７によって比較回路１５に接続され、電流検出抵抗２６の他端２６Ｂは信号線２８によって基準電圧生成回路１４に接続されている。電流検出抵抗２６はアルミニウムのような金属抵抗が使用されている。尚、本実施形態の特徴である基準電圧生成回路１４の詳細については後述する。【００１８】
以上のような構成において、通常の点火動作では、ＥＣＵ４０から信号線１６で制御装置１０に入力された点火制御信号は、入力バッファ回路１１と出力バッファ回路１３を介して、信号線１９から出力され、スイッチング素子である、ＩＧＢＴ(Insulated Gate Bipolar Transistor)等のパワー系のトランジスタ２２を駆動する。トランジスタ２２がオンすると、点火コイル２０の一次側コイル２１に電流が流れる。【００１９】
次にトランジスタ２２がオフすると同時に、一次側コイル２１に一次電圧が発生し、相互誘導作用により二次側コイル２３に巻数比に応じた二次電圧が発生し、点火プラグ２５に供給される。これによって、シリンダ内の混合気が着火され、燃焼が開始されるものである。【００２０】
次に、点火コイル１次側コイル２１の電流制限機能が動作した場合について説明する。トランジスタ２２がオンされて点火コイル２０の一次側コイル２１に電流が流れると、この電流は電流検出抵抗２６で電圧に変換され、信号線２７で点火制御装置１０に入力される。制御装置１０では、この信号線２７からの検出電圧と、基準電圧生成回路１４の信号線２９からの基準電圧が比較回路１５で比較される。【００２１】
そして、基準電圧よりも検出電圧が高い時には、比較回路１５は比較結果をレベル減算回路１２に送ってトランジスタ２２の制御電圧レベルを下げて、点火コイル２０の１次側コイル２１を流れる電流の電流値を下げるように作用する。具体的には、信号線１７からの通常の点火制御信号の電圧レベルをレベル減算回路１２で低下させた電圧とし、この低下された電圧レベルの点火制御信号で、出力バッファ１３を介してトランジスタ２２を駆動するものである。【００２２】
ここで、比較回路１５で基準電圧と検出電圧を精度良く比較するため、電流検出抵抗２６の接地端を基準電位として統一しており、基準電圧生成回路１４の接地端は信号線２８でこの基準電位と接続されている。【００２３】
また、点火コイル２０の一次側コイル２１には、大きな電流が流れるので、電流検出抵抗２６の抵抗値は小さく、ミリオーム単位となっており、ボンディングワイヤなどの金属材料からなる金属抵抗で実現している。このため、金属抵抗の温度依存特性が大きくなっている。金属抵抗の温度係数の符号は「正」で、高温度側で抵抗値が上がり、低温度側で抵抗値が下がるものであり、これに伴って検出電圧値も同様の温度依存特性を持つことになる。よって、電流検出抵抗２６の温度係数に対応した温度依存特性を、基準電圧にも与えることが必要となる。【００２４】
そこで、本実施形態では図１に示す基準電圧生成回路１４を提案するものである。図１には、金属抵抗からなる電流検出抵抗２６と同じ傾向の「正」の温度依存特性を有する基準電圧生成回路１４を示している。【００２５】
本実施形態の基準電圧生成回路１４は、電流源３０と接続された、ＮＰＮ型のバイポーラトランジスタ（単一バイポーラトランジスタ）３１、ＮＰＮ型のバイポーラトランジスタを所定数(複数)の数だけ並列接続した多連型のバイポーラトランジスタ回路３２、この多連型のバイポーラトランジスタ回路３２のエミッタＥに接続された抵抗(第１の抵抗)３３からなるワイドラー定電流回路３４と、ワイドラー定電流回路３４で生成した電流をカレントミラー回路３５でミラー後、抵抗(第２の抵抗)３６で基準電圧を生成する回路から構成されている。【００２６】
カレントミラー回路３５と抵抗３６の間は基準電圧が生成されており、信号線２９を介して比較回路１５に基準電圧を供給している。したがって、比較器１５は基準電圧と検出電圧を比較することが可能となる。【００２７】
そして、ワイドラー定電流回路３４を構成するバイポーラトランジスタ３１と多連型のバイポーラトランジスタ回路３２では、ベースＢとエミッタＥの間の電圧(ＶＢＥ)に電圧差(ΔＶＢＥ)が生じる。この電圧差(ΔＶＢＥ)は温度依存特性を有しており、熱電圧(ＶＴ)に対応している。したがって、この電圧差(ΔＶＢＥ)に相当する多連型のバイポーラトランジスタ３２回路のエミッタＥ側の電圧と、このエミッタＥ側と接地間に接続された抵抗３３によって電流が生成される。【００２８】
この電流は「正」の温度依存特性を有しており、熱電圧(ＶＴ)に比例し、抵抗３３に流れ込むことで得られる基準電圧も、熱電圧(ＶＴ)、すなわち絶対温度(Ｔ)に比例した値となる。以上の関係を式で表すと、以下の通りとなる。【００２９】
まず、「正」の温度依存特性を有する電流検出抵抗２６で検出される任意の温度での検出電圧は、次の(１)式で表すことができる。ここで、電流検出抵抗２６に流れる電流から得られる検出電圧は、基準の温度(Ｔ０)での検出電圧を(ＶＤ０)、任意の温度(Ｔａ)での検出電圧を(ＶＤａ)、電流検出抵抗２６の温度係数を(α)とすると、ＶＤａ＝ＶＤ０×｛１＋α（Ｔａ−Ｔ０）｝……(１)となる。尚、電流検出抵抗２６は、例えばアルミニウムや銅で作られた金属抵抗であり、α≒４×１０−３[／℃]程度の値である。【００３０】
次に、基準電圧生成回路１４で生成される「正」の温度依存特性を有する基準電圧(ＶＳＬ)は次の(２)式で表すことができる。ここで、抵抗３３の抵抗値を(Ｒ３３)、抵抗３６の抵抗値を(Ｒ３６)、カレントミラー回路３５のミラー比を(Ｍ)倍、バイポーラトランジスタ３１と多連型のバイポーラトランジスタ回路３２の個数比を(Ｎ)倍、熱電圧(ＶＴ＝ｋ×Ｔ／ｑ)とすると、ＶＳＬ＝Ｍ×(Ｒ３６／Ｒ３３)×ｌｎ(Ｎ)×ｋ×Ｔ／ｑ……(２)となる。ここで、ｋはボルツマン定数、ｑは電子電荷、Ｔは絶対温度である。【００３１】
そして、上述の(２)式で求めた基準電圧生成回路１４で生成される任意の温度での基準電圧は、次の(３)式で表すことができる。ここで、基準の温度(Ｔ０)での基準電圧を(ＶＳＬ０)、任意の温度(Ｔａ)での基準電圧を(ＶＳＬａ)とすると、上述の（１）式と同様に、ＶＳＬａ＝ＶＳＬ０×｛１＋（１／(Ｔ０＋２７３)×（Ｔａ−Ｔ０）｝……（３）となる。【００３２】
そして、(１)式の温度係数αに相当する値(１／(Ｔ０＋２７３)は、例えば、温度２７℃を基準とした場合、１／３００＝３．３×１０−３[／℃]となるものである。ここで、絶対温度(Ｔ)と熱電圧(ＶＴ)は互いに比例した関係を有している。そして、基準電圧(ＶＳＬ)は(２)式あるように、抵抗３３と抵抗３６の抵抗比、カレントミラー回路３５のミラー比、バイポーラトランジスタ３１、３２の個数比が反映されているものである。【００３３】
したがって、本実施形態の基準電圧生成回路１４は、多連型のバイポーラトランジスタ回路を構成するバイポーラトランジスタの数、カレントミラー回路のミラー比、第１の抵抗と第２の抵抗の抵抗比の少なくとも１つを調整して、電流検出抵抗の温度依存特性に対して、所定の誤差範囲に収まる温度依存特性を備える基準電圧を出力することができる。【００３４】
このように、本実施形態の基準電圧生成回路は、金属材料からなる電流検出抵抗の温度依存特性に対して、所定の誤差範囲に収まる温度依存特性を備える基準電圧を出力するようになっている。このため、検出電圧と同じ程度の温度依存特性を基準電圧に与えることで、電流検出の誤差を抑制することができるようになる。【００３５】
上述した通り、基準電圧は、バイポーラトランジスタの数、カレントミラー回路のミラー比、第１の抵抗と第２の抵抗の抵抗比によって決まるので、素子の比精度ばらつきにだけ依存するので、トリミング等の調整工数が必要なく、安定した基準電圧が得られるようになる。本実施形態では比精度を高めるために、同一形状の複数個のバイポーラトランジスタを並列に並べて使用することが望ましく、本実施形態では、多連型のバイポーラトランジスタ３２の個数比を用いて、基準電圧の温度依存特性を調整している。【００３６】
図２は、図１に示す点火制御装置の検出電圧と基準電圧の温度依存特性を示しており、横軸を温度、縦軸を電圧として検出電圧と基準電圧を表している。電流検出抵抗２６による検出電圧の「正」(＋)の温度係数は４×１０−３[／℃]程度であり、また、基準電圧生成回路１４の基準電圧の「正」(＋)の温度係数は３．３×１０−３[／℃]程度である。このように、電流検出抵抗２６の温度依存特性に合せて、基準電圧生成回路１４の基準電圧に温度依存特性を与えることができれば、電流検出の誤差を抑制できるようになる。
【実施例２】
【００３７】
次に、本発明の第２の実施形態について説明する。第２の実施形態では基準電圧生成回路１４にレベルシフト回路を追加したものである。このレベルシフト回路を追加したことによって、電流検出の誤差を更に小さくして検出精度を向上させることができる。尚、図１と同じ参照番号は同じ構成要素を示しており、重複するのでその説明は省略する。【００３８】
図３において、カレントミラー回路３５と抵抗３６の間と比較回路１５を結ぶ信号線２９の途中にレベルシフト回路３７が介装されている。このレベルシフト回路３７は温度に対応した基準電圧を、その傾きを変えないで増大方向、或いは減少方向に調整する機能を備えている。【００３９】
第１の実施形態では、電流検出抵抗１６の検出電圧と、基準電圧生成回路１４の基準電圧の温度係数が合致していないため、その傾きが異なっている。このため、基準となる温度で双方の電圧値を合せると、温度に対する傾き特性が不一致となる。また、温度に対する傾き特性を合せると、基準となる温度で電圧値が不一致となる。【００４０】
そこで、本実施形態では、基準電圧の温度に対する傾き特性を検出電圧と合致するように調整した後、更に基準電圧をレベルシフト回路３７でシフトさせることで、温度依存特性の合せ込みが可能となるものである。【００４１】
図４は、図３に示す点火制御装置の検出電圧と基準電圧の温度依存特性を示しており、横軸を温度、縦軸を電圧として検出電圧と基準電圧を表している。図２のように、検出電圧と基準電圧の間で温度依存特性が異なっていると、基準としている温度との差が大きくなるほど、検出精度が悪くなる傾向になる。【００４２】
一方、図４のように、基準電圧は、回路定数等の変更で温度依存特性の傾きを調整した後、基準電圧値をレベルシフト回路３７で一律にシフトさせることで、検出電圧の温度依存特性に合わせ込むことが可能である。このレベルシフト回路を追加したことによって、電流検出の誤差を更に小さくして検出精度を向上させることができる。【００４３】
また本実施例では、基準電圧を単一のバイポーラトランジスタと複数のバイポーラトランジスタ間の電位差によって生成する、と説明しているが、単一と表記したバイポーラトランジスタに対して、複数と表記したバイポーラトランジスタの個体数が大きければ、本発明で必要とする電圧差(ΔＶＢＥ)を得ることが可能である。【００４４】
以上述べた通り、本発明によれば、検出電圧は、金属材料によって形成された「正」の温度依存特性を有する電流検出抵抗を流れる一次電流に基づいて検出電圧生成部で生成され、基準電圧は、第１のバイポーラトランジスタ回路と、複数のバイポーラトランジスタを並列接続した多連型の第２のバイポーラトランジスタ回路のベース−エミッタ間の電位差(熱電圧ＶＴに比例)と、第２のバイポーラトランジスタ回路のエミッタ側に接続された第１の抵抗の抵抗値によって生成され、電流検出抵抗と同様の「正」の温度依存特性を有する電流に基づいて基準電圧生成部で生成される、構成とした。【００４５】
これによれば、基準電圧値がバイポーラトランジスタの比精度で決まるため、「素子ばらつき」に影響されず、ＭＯＳゲート電圧の合せ込み等の調整工数が省略でき、製品単価の増大を抑制することができるようになる。【００４６】
尚、本発明は上記した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【００４７】
１０…点火制御装置、１１…入力バッファ回路、１２…レベル減算回路、１３…出力バッファ回路、１４…基準電圧生成回路、１５…比較回路、１６、１７、１８、１９…信号線、２０…点火コイル、２１…一次側コイル、２２…トランジスタ、２３…二次側コイル、２５…点火プラグ、２６…電流検出抵抗、２７、２８、２９…信号線、３０…電流源、３１、３２…バイポーラトランジスタ、３３、３６…抵抗、３５…カレントミラー回路、３７…レベルシフト回路、４０…制御手段(ＥＣＵ)。
【図１】
0006654732.tif 000002
【図２】
0006654732.tif 000003
【図３】
0006654732.tif 000004
【図４】
0006654732.tif 000005